(57)【要約】【課題】ロッドレンズアレイを支持するレンズ支持部材と、ＬＥＤ発光素子アレイを実装した基板を搭載する基板台とを固定する際に光軸変化を来さず、剛性向上が図れ、品位の高い印刷が可能な光書き込みヘッドを提供する。【解決手段】ＬＥＤ発光素子アレイ１６を実装した基板１３を搭載する基板台１５は、ヘッド長手方向にわたり所定の間隔で、側面に突出したピン１８を備え、ロッドレンズアレイ１１を支持するレンズ支持部材１２は、ピン１８を貫通するための穴１９を備える。基板台１５とレンズ支持部材１２とは、レンズの光軸中心に発光素子の発光点が位置するよう位置決めされた後に、穴１９にピン１８を挿入し、ピン１８の周辺に接着剤を注入して固定される。【選択図】　　　図４
2004017382.tif 000002
【特許請求の範囲】
【請求項１】
発光素子アレイを実装した基板を搭載する基板台と、レンズを列状に配置したレンズアレイを支持するレンズ支持部材とを備え、前記発光素子アレイからの出射光を前記レンズアレイにより集光して感光体に投影する光書き込みヘッドにおいて、
前記基板台は、ヘッド長手方向にわたり所定の間隔で、前記レンズ支持部材側の側面に突出したピンを備え、
前記レンズ支持部材は、前記ピンを貫通するための穴を備え、
前記基板台と前記レンズ支持部材とは、前記レンズの光軸中心に発光素子の発光点が位置するよう位置決めされており、前記穴に挿入された前記ピンの周辺に注入された接着剤によって固定されていることを特徴とする光書き込みヘッド。
【請求項２】
発光素子アレイを実装した基板を搭載する基板台と、レンズを列状に配置したレンズアレイを支持するレンズ支持部材とを備え、前記発光素子アレイからの出射光を前記レンズアレイにより集光して感光体に投影する光書き込みヘッドにおいて、
前記レンズ支持部材は、ヘッド長手方向にわたり所定の間隔で、前記基板台側の側面に突出したピンを備え、
前記基板台は、前記ピンを貫通するための穴を備え、
前記基板台と前記レンズ支持部材とは、前記レンズの光軸中心に発光素子の発光点が位置するよう位置決めされており、前記穴に挿入された前記ピンの周辺に注入された接着剤によって固定されていることを特徴とする光書き込みヘッド。
【請求項３】
発光素子アレイを実装した基板を搭載する基板台と、レンズを列状に配置したレンズアレイを支持するレンズ支持部材とを備え、前記発光素子アレイからの出射光を前記レンズアレイにより集光して感光体に投影する光書き込みヘッドにおいて、
前記基板台は、ヘッド長手方向にわたり所定の間隔で、前記レンズ支持部材側の側面に、ヘッド長手方向に直交する方向にわたって複数個の突出したピンを備え、
前記レンズ支持部材は、複数個の前記ピンを貫通するための穴を備え、
前記基板台と前記レンズ支持部材とは、前記レンズの光軸中心に発光素子の発光点が位置するよう位置決めされており、前記穴に挿入された前記ピンの周辺に注入された接着剤によって固定されていることを特徴とする光書き込みヘッド。
【請求項４】
発光素子アレイを実装した基板を搭載する基板台と、レンズを列状に配置したレンズアレイを支持するレンズ支持部材とを備え、前記発光素子アレイからの出射光を前記レンズアレイにより集光して感光体に投影する光書き込みヘッドにおいて、
前記レンズ支持部材は、ヘッド長手方向にわたり所定の間隔で、前記基板台側の側面に、ヘッド長手方向に直交する方向にわたって複数個の突出したピンを備え、
前記基板台は、複数個の前記ピンを貫通するための穴を備え、
前記基板台と前記レンズ支持部材とは、前記レンズの光軸中心に発光素子の発光点が位置するよう位置決めされており、前記穴に挿入された前記ピンの周辺に注入された接着剤によって固定されていることを特徴とする光書き込みヘッド。
【請求項５】
前記接着剤は、ＵＶ硬化型接着剤であることを特徴とする請求項１〜４のいずれかに記載の光書き込みヘッド。
【請求項６】
前記レンズアレイは、ロッドレンズアレイまたは樹脂正立等倍レンズアレイであることを特徴とする請求項１〜５のいずれかに記載の光書き込みヘッド。
【請求項７】
前記発光素子アレイは、自己走査型発光素子アレイであることを特徴とする請求項１〜６のいずれかに記載の光書き込みヘッド。
【発明の詳細な説明】
【０００１】
【発明の属する技術分野】
本発明は、電子写真方式の画像記録装置に搭載されて、発光素子アレイからの出射光をレンズアレイにより集光して感光体に投影する光書き込みヘッドに関する。
【０００２】
【従来の技術】
電子写真方式の画像記録装置では、感光ドラムを露光して潜像を形成し、この潜像をトナーによって現像し、このトナーを紙に転写し、熱等によってトナーを紙に定着させることによって印刷を行っている。
【０００３】
図１は、電子写真方式の画像記録のプロセスを説明する図である。感光ドラム３１の周辺には、帯電器３４、光書き込みヘッド３０、現像ユニット３５、転写ベルト３６、イレイサー３２、クリーニングロール３３が配置される。電子写真方式の画像記録は、予め帯電器３４により感光ドラム３１の表面にコロナ放電等の手段を用いて帯電電位を与える帯電プロセスと、光書き込みヘッド３０の基板上に直線的に配置されたＬＥＤ発光素子から出射された光を正立等倍のロッドレンズを介して、感光ドラム３１に照射して、その照射部分の電位を減衰させて潜像を形成する露光プロセスと、現像ユニット３５において、帯電されたトナーを、感光ドラム３１の潜像部分に静電吸着力により付着させる現像プロセスと、感光ドラム３１に付着させたトナーを、転写ベルト３６により運ばれた紙等に転写する転写プロセスと、紙等に転写されたトナーを熱等により定着させる定着プロセスと、感光ドラム３１の表面の帯電をイレイサー３２により消去する消去プロセスと、感光ドラム３１の表面に付着したトナーをクリーニングロール３３により取り除くクリーニングプロセスからなる。
【０００４】
露光プロセスには、ＬＥＤ光を用いるものとレーザ光を用いるものがあるが、ＬＥＤを光源とするＬＥＤ光学系の光書き込みヘッドを用いた画像記録装置は、レーザ光を用いるものよりも小型にできるという利点があり、広く実用化されている。
【０００５】
図２は、従来の電子写真方式の画像記録装置に搭載されるＬＥＤ光学系光書き込みヘッドの長手方向端部における斜視図である。図２に示す光書き込みヘッドは、正立等倍のロッドレンズアレイ４１を搭載するレンズ支持部材４２と、基板４３を搭載する基板台４５とから構成されている。基板４３上にはヘッド長手方向に直線状に複数個のＬＥＤ発光素子アレイ４６が実装されており、ＬＥＤ発光素子アレイ４６は、ロッドレンズの光軸中心にＬＥＤの発光点が位置するように配置されている。レンズ支持部材４２と基板台４５とは、ブラケット４７を介してボルトで固定されている。
【０００６】
図３は、従来の光書き込みヘッドの正面図である。図２に示す光書き込みヘッドは、片側端点のみを示しているが、図３に示すように、もう一端においても同様に、レンズ支持部材４２と基板台４５とは、ブラケット４７を介してボルトで支持固定されている。
【０００７】
【発明が解決しようとする課題】
ＬＥＤ光学系の書き込みヘッドでは、ＬＥＤ発光素子アレイからの発光エネルギーは、正立等倍のロッドレンズアレイを介して、感光ドラムに露光する。しかしながら、ロッドレンズアレイは、解像度およびロッドレンズピッチの周期光量ムラが発生し易いため、ロッドレンズの光軸中心とＬＥＤの発光点位置を微調整した後に、ロッドレンズアレイを保持するレンズ支持部材と、ＬＥＤ発光素子アレイを実装する基板を搭載した基板台とを固定する方法が採用されている。
【０００８】
レンズ支持部材と基板台を固定する方法として、図３に示すように、両端部をブラケットを介してボルト等で固定する方法が考えられるが、この方法では、ボルトの締め付けトルクが影響し、調整を行った光軸がズレてしまい、光量ムラの発生により画像品位を著しく低下させてしまう。
【０００９】
また、図１に示すように、光書き込みヘッドを載置する感光ドラムの周辺には、帯電器、現像ユニット、転写ベルト、イレイサー、クリーニングロール等、多くの部材が配置されており、他部材との干渉を避けるために、光書き込みヘッドの幅を薄くする必要があり、レンズ支持部材および基板台には薄肉設計が採用されている。そのため、ヘッド長手方向両端部において、レンズ支持部材と基板台をブラケットを介してボルトで締結して固定する方法や、両端ブラケット部分をハンダで固定する方法が採用されている。しかし、レンズ支持部材と基板台の固定が両端部のみとなった場合には、固有振動数の低下を招き、振動等の原因となる。さらに、ヘッド中央付近の強度が保持できず、ヘッド中央付近に外力が加わった場合には、ＬＥＤ発光源位置とロッドレンズの光軸が変化して、光量ムラの発生により画像品位を著しく低下させてしまう。
【００１０】
本発明は、このような従来の問題点に着目してなされたもので、その目的は、ロッドレンズを支持するレンズ支持部材と、ＬＥＤ発光素子アレイを実装した基板を搭載する基板台を固定する際に、ロッドレンズとＬＥＤ素子の光軸変化を来さず、ヘッドの剛性向上が図れ、経年変化および外力により光軸変動が発生しづらく、画像品位の高い印刷が可能な光書き込みヘッドを提供することにある。
【００１１】
【課題を解決するための手段】
本発明の光書き込みヘッドにおいては、基板台は、ヘッド長手方向にわたり所定の間隔で、レンズ支持部材側の側面に突出したピンを備え、レンズ支持部材は、ピンを貫通するための穴を備え、基板台とレンズ支持部材とは、レンズの光軸中心に発光素子の発光点が位置するよう位置決めされており、穴に挿入されたピンの周辺に注入された接着剤によって固定されていることを特徴とする。
【００１２】
また、本発明の光書き込みヘッドにおいては、レンズ支持部材は、ヘッド長手方向にわたり所定の間隔で、基板台側の側面に突出したピンを備え、基板台は、ピンを貫通するための穴を備え、基板台とレンズ支持部材とは、レンズの光軸中心に発光素子の発光点が位置するよう位置決めされており、穴に挿入されたピンの周辺に注入された接着剤によって固定されていることを特徴とする。
【００１３】
また、本発明の光書き込みヘッドにおいては、基板台は、ヘッド長手方向にわたり所定の間隔で、レンズ支持部材側の側面に、ヘッド長手方向に直交する方向にわたって複数個の突出したピンを備え、レンズ支持部材は、複数個のピンを貫通するための穴を備え、基板台とレンズ支持部材とは、レンズの光軸中心に発光素子の発光点が位置するよう位置決めされており、穴に挿入されたピンの周辺に注入された接着剤によって固定されていることを特徴とする。
【００１４】
また、本発明の光書き込みヘッドにおいては、レンズ支持部材は、ヘッド長手方向にわたり所定の間隔で、基板台側の側面に、ヘッド長手方向に直交する方向にわたって複数個の突出したピンを備え、基板台は、複数個の前記ピンを貫通するための穴を備え、基板台と前記レンズ支持部材とは、レンズの光軸中心に発光素子の発光点が位置するよう位置決めされており、穴に挿入されたピンの周辺に注入された接着剤によって固定されていることを特徴とする。
【００１５】
接着剤は、ＵＶ硬化型接着剤であることが好ましく、レンズアレイは、ロッドレンズアレイまたは樹脂正立等倍レンズアレイであることが好ましく、発光素子アレイは、自己走査型発光素子アレイであることが好ましい。
【００１６】
【発明の実施の形態】
次に、本発明の実施の形態について図面を参照して説明する。
【００１７】
図４は、本発明の光書き込みヘッドを構成するレンズ支持部材と基板台の分解斜視図である。
【００１８】
基板台１５上には基板１３が搭載され、基板１３上にはヘッド長手方向に直線状に複数個のＬＥＤ発光素子アレイ１６が実装されている。また、基板台１５のレンズ支持部材１２側の側面には、長手方向にわたって所定の間隔で突出したピン１８が設けられている。ピン１８の断面形状は、丸形状または多角形状でも良い。基板台１５は、基板１３に実装されたＬＥＤ発光素子アレイ１６が発する熱を放出する作用を備える。
【００１９】
レンズ支持部材１２には、正立等倍のロッドレンズを列状に配置したロッドレンズアレイ１１が支持されている。また、レンズ支持部材１２には、基板台１５から突出したピン１８が貫通するように穴１９が設けられている。この穴１９は、大きさがピン１８より大きく、基板台１５に設けられたピン１８と組み立て時に相対する位置に設けられている。
【００２０】
この穴１９にピン１８を挿入し、ロッドレンズの光軸中心にＬＥＤ発光素子が位置するようにロッドレンズと発光点の光軸調整を行う。ロッドレンズは、光軸中心から外れるに従い、レンズ配列周期の光量ムラが大きくなる特性を有するために、ＬＥＤ発光素子の発光点をロッドレンズの光軸中心に位置するように微調整する必要がある。
【００２１】
ロッドレンズと発光点の光軸調整後に、挿入されたピン１８とレンズ支持部材１２の穴１９との空隙部分に、レンズ支持部材１２側より接着剤１７を注入して、レンズ支持部材１２と基板台１５間の位置固定を図る。
【００２２】
次に、ロッドレンズと発光点の光軸調整方法について説明する。
【００２３】
ロッドレンズの光軸中心からＬＥＤ発光素子の発光点を移動させた場合、移動量が増加するに従い、レンズ長手方向のレンズピッチの光量周期ムラが増大するため、適切な光軸調整を実施しない場合は、ハーフトーン印字を行った場合に光量周期ムラに起因した印字ムラが発生し、画像品位を低下させてしまう。
【００２４】
したがって、ＬＥＤ発光素子の発光点をロッドレンズの光軸位置になるよう、ＬＥＤ発光素子の発光点の空間結像プロファイルおよび光量をＣＣＤカメラ等の手段で観察しながら、光量ムラが最低となるように、レンズ位置または発光点位置の調整を行う。
【００２５】
図５は、光軸調整組み立て機に、基板台とレンズ支持部材を取り付けた状態を示す斜視図である。
【００２６】
光軸調整組み立て機は、支持台２１と、支持台２１上に載置された基板台固定バー２２と、支持台２１上を移動可能なステージ２３と、ステージ２３上に載置されたＣＣＤカメラ２４と、図示しないステージに保持された支持部材固定ステー２５からなる。
【００２７】
ステージ２３は、アクチュエータを動作させて支持台２１上を図５のＹ方向に微動可能である。支持部材固定ステー２５は、アクチュエータを動作させて図５のＸ方向およびＺ方向（支持台２１の面に対して垂直方向）に微動可能である。
【００２８】
ロッドレンズアレイ１１を支持したレンズ支持部材１２は、支持部材固定ステー２５に取り付けられる。ＬＥＤ発光素子アレイ１６を実装した基板１３を搭載した基板台１５は、基板台固定バー２２に取り付けられる。
【００２９】
光軸調整は、対向するＣＣＤカメラ２４を用いて実施する。発光素子とレンズ間の位置決め調整は以下の手順で行う。
１．ＣＣＤカメラ２４が載置されたステージ２３と、ＬＥＤ発光素子アレイ１６の平行度調整を行う。
２．ＣＣＤカメラ２４を発光素子表面部分にフォーカスさせる。
３．ＣＣＤカメラ２４をＬ０＋Ｚ（Ｌ０：作動距離（ロッドレンズと発光素子との間の距離）、Ｚ：レンズ厚み）分だけ後退させた後、支持部材固定ステー２５のアクチュエータをＸ方向に動作させ、ロッドレンズの出射面がＣＣＤカメラ２４にフォーカスするように調整する。
４．発光素子を発光させた後、ＣＣＤカメラ２４のステージ２３をＹ方向に動作させ、発光点列の空間結像データを取得する。
５．支持部材固定ステー２５を、Ｚ方向（支持台２１の面に対して垂直方向）に５０μｍずつ上下にシフトさせることによって、レンズ支持部材１２の支持台２１からの高さを５０μｍずつシフトさせて各々空間結像データを取得する。
６．レンズ支持部材１２の支持台２１からの高さ５０μｍ単位で取得したデータ中の、光量周期ムラ変動の少ない位置にレンズ支持部材１２を移動させる。
【００３０】
その後、レンズ支持部材と基板台を固定する。すなわち、挿入されたピン１８とレンズ支持部材１２の穴１９との空隙部分に、レンズ支持部材１２側より接着剤１７を注入して、レンズ支持部材１２と基板台１５間の位置固定を図る。接着剤は、ＵＶ硬化型の接着剤を用いると、工程速度の向上が図れるので好適である。
【００３１】
図６は、組み立て後の本発明の光書き込みヘッドを示す正面図、およびヘッド長手方向中央部における長手方向に直交する方向の断面図である。図６では、レンズ支持部材１２側と基板台１５とは、ヘッド長手方向両端部と中央部において、レンズ支持部材１２側より、ピン１８の周辺に接着剤１７を注入して固定されている。
【００３２】
従来用いられてきたレンズ支持部材と基板台の固定方法は、ブラケットを介してのボルトによる締結であったため、ボルトを回転させ、締め込む際に、応力が発生してしまい、光軸調整組み立て機で光軸を調整しても、レンズ支持部材と基板台を固定して光軸調整組み立て機から取り出した時には、光軸が変化してしまうことがあった。
【００３３】
また、その対策として、両端ブラケット部分をハンダで固定する、または基板台とレンズ支持部材間を硬化性充填剤で固定する方法もあるが、充填剤挿入方法の困難性等により、実質は両端点のみの固定となり、両者間の固定強度が保持できないという問題があった。
【００３４】
本発明の固定方法であれば、レンズ支持部材と基板台の固定手段にボルトなどの位置ズレを誘発する構造を有しないため、両者間の固定工程における位置ズレが発生しない。また、両者間を固定するピンを、ヘッド長手方向にわたり複数個配置できるため、固有振動数が向上し、ヘッドの厚みを増すことなく強度を高めることができる。
【００３５】
図７は、本発明の光書き込みヘッドの変形例を示す正面図、およびヘッド長手方向中央部における長手方向に直交する方向の断面図である。図７に示す光書き込みヘッドは、基板台の高さ方向にわたって複数個のピンを配置していること以外は、図６に示す光書き込みヘッドと同様の構成である。ピンは、基板台の長さ方向にわたって複数個配置するが、基板台の高さ方向にわたって複数個配置しても良い。
【００３６】
また、上述した実施の形態では、レンズ支持部材と基板台間を固定するピンは、基板台側に設けたが、レンズ支持部材側に突出したピンを設け、基板台側の対応する位置に貫通する穴を設けて、基板台側より接着固定しても良い。
【００３７】
また、レンズ支持部材と基板台は、接着剤のみによる固定では、固定強度が不足するような場合には、接着剤が完全に硬化した後に、さらにボルトにて締結するようにしても良い。
【００３８】
また、ＬＥＤ発光素子アレイには、自己走査型発光素子アレイを用いることができる。なお、自己走査型発光素子アレイチップとは、自己走査回路を内蔵し、発光点を順次転送していく機能を有する発光素子アレイチップである。
【００３９】
自己走査型発光素子アレイチップについては、特開平１−２３８９６２号公報、特開平２−１４５８４号公報、特開平２−９２６５０号公報、特開平２−９２６５１号公報等により、プリンタヘッド用光源として実装上簡便となること、発光素子間隔を細かくできること、コンパクトなプリンタヘッドを作製できること等が示されている。また、特開平２−２６３６６８号公報では、転送素子アレイをシフト部として、発光部である発光素子アレイと分離した構造の自己走査型発光素子アレイチップを提案している。
【００４０】
図８に、シフト部と発光部とを分離した構造の自己走査型発光素子アレイチップの等価回路図を示す。シフト部は、転送素子Ｔ１　，Ｔ２　，Ｔ３　，…を有し、発光部は、書込み用発光素子Ｌ１　，Ｌ２　，Ｌ３　，…を有している。これら転送素子および発光素子は、３端子発光サイリスタにより構成される。シフト部の構成は、転送素子のゲートを互いに電気的に接続するのにダイオードＤ１　，Ｄ２　，Ｄ３　，…を用いている。ＶＧＫは電源（通常５Ｖ）であり、負荷抵抗ＲＬ　を経て各転送素子のゲート電極Ｇ１　，Ｇ２　，Ｇ３　，…に接続されている。また、転送素子のゲート電極Ｇ１　，Ｇ２　，Ｇ３　，…は、書込み用発光素子のゲート電極にも接続される。転送素子Ｔ１　のゲート電極にはスタートパルスφＳ　が加えられ、転送素子のアノード電極には、交互に転送用クロックパルスφ１，φ２が加えられ、書込み用発光素子のアノード電極には、書込み信号φＩ　が加えられている。
【００４１】
なお、図中、Ｒ１，Ｒ２，ＲＳ　，ＲＩ　は、それぞれ電流制限抵抗を示している。
【００４２】
動作を簡単に説明する。まず転送用クロックパルスφ１の電圧が、Ｈレベルで、転送素子Ｔ２　がオン状態であるとする。このとき、ゲート電極Ｇ２　の電位はＶＧＫの５Ｖからほぼ零Ｖにまで低下する。この電位降下の影響はダイオードＤ２　によってゲート電極Ｇ３　に伝えられ、その電位を約１Ｖに（ダイオードＤ２　の順方向立上り電圧（拡散電位に等しい））に設定する。しかし、ダイオードＤ１　は逆バイアス状態であるためゲート電極Ｇ１　への電位の接続は行われず、ゲート電極Ｇ１　の電位は５Ｖのままとなる。発光サイリスタのオン電圧は、ゲート電極電位＋ｐｎ接合の拡散電位（約１Ｖ）で近似されるから、次の転送用クロックパルスφ２のＨレベル電圧は約２Ｖ（転送素子Ｔ３　をオンさせるために必要な電圧）以上でありかつ約４Ｖ（転送素子Ｔ５　をオンさせるために必要な電圧）以下に設定しておけば転送素子Ｔ３　のみがオンし、これ以外の転送素子はオフのままにすることができる。従って２本の転送用クロックパルスでオン状態が転送されることになる。
【００４３】
スタートパルスφＳ　は、このような転送動作を開始させるためのパルスであり、スタートパルスφＳ　をＨレベル（約０Ｖ）にすると同時に転送用クロックパルスφ２をＨレベル（約２〜約４Ｖ）とし、転送素子Ｔ１　をオンさせる。その後すぐ、スタートパルスφＳ　はＨレベルに戻される。
【００４４】
いま、転送素子Ｔ２　がオン状態にあるとすると、ゲート電極Ｇ２　の電位は、ほぼ０Ｖとなる。したがって、書込み信号φＩ　の電圧が、ｐｎ接合の拡散電位（約１Ｖ）以上であれば、発光素子Ｌ２　を発光状態とすることができる。
【００４５】
これに対し、ゲート電極Ｇ１　は約５Ｖであり、ゲート電極Ｇ３　は約１Ｖとなる。したがって、発光素子Ｌ１　の書込み電圧は約６Ｖ、発光素子Ｌ３　の書込み電圧は約２Ｖとなる。これから、発光素子Ｌ２　のみに書込める書込み信号φＩ　の電圧は、１〜２Ｖの範囲となる。発光素子Ｌ２　がオン、すなわち発光状態に入ると、発光強度は書込み信号φＩ　に流す電流量で決められ、任意の強度にて画像書込みが可能となる。また、発光状態を次の発光素子に転送するためには、書込み信号φＩ　ラインの電圧を一度０Ｖまでおとし、発光している発光素子をいったんオフにしておく必要がある。
【００４６】
また、上述した実施の形態では、ＬＥＤ発光素子アレイからの出射光を集光して感光ドラムに結像させる結像手段として正立等倍のロッドレンズアレイを用いたが、本発明は、ロッドレンズアレイに限るものではなく、例えば、樹脂正立等倍レンズアレイを用いても良い。図９は、樹脂正立等倍レンズアレイの構成の一例を示す斜視図である。樹脂正立等倍レンズアレイは、１列または２列に配列された単眼レンズ２８を備えるレンズアレイ板２７を２枚以上重ねたものであり、正立等倍像を結像させることができる。単眼レンズ２８は、同一の焦点距離と口径を有し、片面が凸または両面が凸である。
【００４７】
【発明の効果】
以上説明したように、本発明の光書き込みヘッドは、レンズ支持部材と基板台の固定手段にボルトなどの位置ズレする構造を有しないため、レンズ支持部材と基板台を固定する工程において位置ズレが発生しない。
【００４８】
また、本発明の光書き込みヘッドは、レンズ支持部材と基板台間を固定するピンが、ヘッドの長手方向にわたって複数個配置されるため、固有振動数が向上するとともに、剛性が向上する。
【図面の簡単な説明】
【図１】電子写真方式の画像記録のプロセスを説明する図である。
【図２】従来の電子写真方式の画像記録装置に搭載されるＬＥＤ光学系光書き込みヘッドの長手方向端部における斜視図である。
【図３】従来の光書き込みヘッドの正面図である。
【図４】本発明の光書き込みヘッドを構成するレンズ支持部材と基板台の分解斜視図である。
【図５】光軸調整組み立て機に、基板台とレンズ支持部材を取り付けた状態を示す斜視図である。
【図６】組み立て後の本発明の光書き込みヘッドを示す正面図、およびヘッド長手方向中央部における長手方向に直交する方向の断面図である。
【図７】本発明の光書き込みヘッドの変形例を示す正面図、およびヘッド長手方向中央部における長手方向に直交する方向の断面図である。
【図８】自己走査型発光素子アレイの等価回路図である。
【図９】樹脂正立等倍レンズアレイの構成の一例を示す斜視図である。
【符号の説明】
１１，４１　ロッドレンズアレイ
１２，４２　レンズ支持部材
１３，４３　基板
１５，４５　基板台
１６，４６　ＬＥＤ発光素子アレイ
１７　接着剤
１８　ピン
１９　穴
２１　支持台
２２　基板台固定バー
２３　ステージ
２４　ＣＣＤカメラ
２５　支持部材固定ステー
２７　レンズアレイ板
２８　単眼レンズ
３０　光書き込みヘッド
３１　感光ドラム
３２　イレイサー
３３　クリーニングロール
３４　帯電器
３５　現像ユニット
３６　転写ベルト
４７　ブラケット
【図１】
2004017382.tif 000003
【図２】
2004017382.tif 000004
【図３】
2004017382.tif 000005
【図４】
2004017382.tif 000006
【図５】
2004017382.tif 000007
【図６】
2004017382.tif 000008
【図７】
2004017382.tif 000009
【図８】
2004017382.tif 000010
【図９】
2004017382.tif 000011